(57)【要約】【課題】自由度が高く、使い勝手がよい表示装置及び表示プログラムを提供することを目的とする。【解決手段】表示内容情報を表示部３５に表示する表示装置１であって、表示内容情報を受信する受信手段３１〜３３と、受信した表示内容情報に関する表示指示情報を判定する表示指示情報判定手段３４と、表示部３５に表示する表示内容情報に関する表示指示情報を記録する表示指示情報記録手段と、表示部３５に現在表示中の表示内容情報に関する表示指示情報と、新たに受信した表示内容情報に関する表示指示情報とに基づいて、表示部３５に次に表示する表示内容情報を選択する表示情報選択手段３６とを有することにより上記課題を解決する。【選択図】図３
2010015300.tif 000002
【特許請求の範囲】
【請求項１】
表示内容情報を表示部に表示する表示装置であって、
表示内容情報を受信する受信手段と、
受信した前記表示内容情報に関する表示指示情報を判定する表示指示情報判定手段と、
前記表示部に表示する前記表示内容情報に関する前記表示指示情報を記録する表示指示情報記録手段と、
前記表示部に現在表示中の前記表示内容情報に関する前記表示指示情報と、新たに受信した前記表示内容情報に関する前記表示指示情報とに基づいて、前記表示部に次に表示する前記表示内容情報を選択する表示情報選択手段と
を有することを特徴とする表示装置。
【請求項２】
前記受信手段は、前記表示内容情報を受信する複数の受信部を有し、
前記表示指示情報判定手段は、前記表示内容情報を受信した前記受信部に応じて前記表示内容情報に関する前記表示指示情報を判定することを特徴とする請求項１記載の表示装置。
【請求項３】
前記表示指示情報判定手段は、前記表示内容情報を受信した前記受信部に応じて前記表示内容情報に関する前記表示指示情報として、異なる表示位置を設定することを特徴とする請求項２記載の表示装置。
【請求項４】
前記表示情報選択手段により前記表示部に次に表示する前記表示内容情報として選択されなかった前記表示内容情報と、その表示内容情報に関する前記表示指示情報とを関連付けて記録する情報記録手段を更に有することを特徴とする請求項１記載の表示装置。
【請求項５】
前記情報記録手段は、一の受信部で受信した前記表示内容情報と、その表示内容情報に関する前記表示指示情報とを関連付けて記録しているとき、前記一の受信部で新たに受信した前記表示内容情報と、その表示内容情報に関する前記表示指示情報とで上書き更新することを特徴とする請求項２又は３記載の表示装置。
【請求項６】
請求項１乃至５何れか一項記載の表示装置としてコンピュータを実行させるための表示プログラム。
【発明の詳細な説明】
【技術分野】
【０００１】
本発明は、表示装置及び表示プログラムに係り、特に表示内容情報を表示部に表示する表示装置及び表示プログラムに関する。
【背景技術】
【０００２】
近年、液晶方式やプラズマ方式など、大型の表示装置（ディスプレイ）が安価に入手できるようになった。大型の表示装置は、会議室でのプレゼンテーション，掲示板や広告のような不特定多数への情報提供など、様々な目的で利用されている。
【０００３】
各地の街頭などに設置した多数の表示装置に、広告やニュースなどを表示するためのシステムは従来から知られている（例えば特許文献１参照）。特許文献１に記載のシステムは電子ペーパのような記録型表示デバイスの利用を想定している。特許文献１に記載のシステムは表示する内容を中央サーバにより集中制御する。
【０００４】
また、チューナと外部入力端子という二つの情報源を持ち、外部入力端子に映像信号が入力されたことを検知すると、その入力信号を表示するテレビ受信機は、従来から知られている（例えば特許文献２参照）。通常、特許文献２に記載のテレビ受信機は、チューナを使ったテレビとして働くが、例えば外部入力端子に接続されたテレビ電話がかかってくると自動的にテレビ電話の映像を表示する。
【０００５】
また、入力される情報に応じて動作が変わる従来技術としてはパーソナルコンピュータでのＤＶＤの自動再生機能がある。例えばＷｉｎｄｏｗｓ（登録商標）などのＯＳ（オペレーティングシステム）は、ＤＶＤやＣＤ等のメディアをドライブに挿入することによりメディアの種類に応じたアプリケーションを自動的に実行する機能が搭載されている。
【０００６】
例えばＤＶＤやＣＤ等のメディアをドライブに挿入することによりメディアの種類に応じたアプリケーションを自動的に実行する機能は、ビデオＤＶＤが挿入されるとＤＶＤ再生アプリケーションを起動してビデオＤＶＤの再生を開始し、アプリケーションソフトのインストールＣＤが挿入されるとインストーラプログラムを実行する。
【０００７】
また、表示装置の表示内容を外部から制御する従来技術としては、地震などの災害時にテレビ・ラジオの放送局から緊急警報信号を放送するシステムがある。このシステムは緊急警報信号を受信した際のテレビ・ラジオの受信機の動作として、通常電源が入っていない場合に電源を入れ、警報放送のチャンネルに切り替えて警報内容を再生することが想定されている。
【特許文献１】特開２００７−２６０１５号公報
【特許文献２】特開２００１−２８５７４０号公報
【発明の開示】
【発明が解決しようとする課題】
【０００８】
オフィス内の会議室にプロジェクタなどを設置し、会議参加者が持ち込んだノートＰＣ等をプロジェクタにケーブル接続して、ノートＰＣ等に記録されたプレゼンテーション資料を表示することは、従来から行われていた。
【０００９】
しかし、会社内など、ある特定の複数の表示装置の表示内容を一斉に制御するような機能はオフィス内で広く利用されていなかった。例えば特許文献１に記載のシステムは広告のように広告主に依頼された内容を一定の地域で一定の時間だけ必ず表示するような用途に適している。
【００１０】
しかしながら、オフィス内の表示装置では、表示内容を決定する広告主のような存在がない。オフィス内の表示装置では、関連する各レベルの組織や周囲のユーザなど、表示内容を制御したいと考える様々な存在が考えられるため、それらの要求をうまく調停する必要があった。
【００１１】
例えば、ある会社内に設置された表示装置の利用方法としては、全社員向けの広報の表示だけでなく、設置されている事業所だけに向けた情報の表示や、その部屋を利用するメンバだけに向けた情報の表示の他、プレゼンテーションのような利用も考慮しなければならない。
【００１２】
プレゼンテーションの利用では、持ち込んだプレゼンテーション資料を表示、表示装置に表示するべき表示内容を話の流れに応じて変更、会議室等に移動しての一時的な利用や他部門から借りての一時的な利用など、現場のユーザが様々な要求を持つ。従って、引用文献１に記載のシステムのように、予め中央サーバに登録しておき、中央サーバにより集中制御する方式は、プレゼンテーションの利用において自由度が不足して使い勝手が悪いという問題があった。
【００１３】
プレゼンテーションの利用において現場のユーザがネットワークなどの通信手段を通じて管理サーバにアクセスし、その都度、設定を更新するという方式も考えられるが、このような管理サーバに多数のユーザがアクセスするという状況は、セキュリティの確保や管理サーバ及びネットワークの負荷といった観点から問題があった。
【００１４】
なお、特許文献２に記載のテレビ受信機は、外部入力端子から入力される映像信号を優先的に選択するため、チューナの出力を表示するデフォルトの表示状態と、手動操作による情報表示を両立していると言える。
【００１５】
しかしながら、特許文献２に記載のテレビ受信機はアナログ信号を扱うため、映像を表示する間、映像信号を入力し続ける必要があった。例えばオフィス内の掲示板に端末装置からの手動操作によって表示コンテンツを設定した後、その表示コンテンツの表示内容をテレビ受信機に表示し続けるためには、端末装置をテレビ受信機に接続しておかなければならない（通信終了後にも動作状態を維持するためには、動作状態を記憶しておく必要がある）という問題があった。
【００１６】
なお、ＤＶＤの自動再生機能はメディアが挿入された場合に、全自動で再生を開始する動作、どのアプリケーションを起動するか選択するためのメニューをユーザに提示する動作など、いくつかの動作のうちの一つを設定により選択するが、手動で設定を変更しない限り現在の利用状況やメディアの種類に応じて動作を変更することができないという問題があった。
【００１７】
地震などの災害時にテレビ・ラジオの放送局から緊急警報信号を放送するシステムでは緊急警報信号の受信時に、その時点での使用状況に関わらず、ユーザにチャンネル切り替えを即すなど、警報内容の表示を試みる。緊急警報信号を放送するシステムは緊急警報という目的上、必ず警報を再生することが重要であり、利用状況に応じて緊急警報信号を無視などできない。一方、オフィス内の組織が各階層で、それぞれ異なる広報意図を持つような状況では特定の信号を受信した場合にも、現在の利用状況に応じた柔軟な処理が必要となる。
【００１８】
上記のように従来の表示装置は、オフィス内に設置された場合、ある時は掲示板として利用され，ある時はプレゼンテーションに利用され、またある時は警報内容の表示に利用されるといったような、自由度の高い利用ができず、ユーザにとって必ずしも使い勝手のよいものではなかった。
【００１９】
本発明は、上記の点に鑑みなされたもので、自由度が高く、使い勝手がよい表示装置及び表示プログラムを提供することを目的とする。
【課題を解決するための手段】
【００２０】
上記した課題を解決するため、本発明は、表示内容情報を表示部に表示する表示装置であって、表示内容情報を受信する受信手段と、受信した前記表示内容情報に関する表示指示情報を判定する表示指示情報判定手段と、前記表示部に表示する前記表示内容情報に関する前記表示指示情報を記録する表示指示情報記録手段と、前記表示部に現在表示中の前記表示内容情報に関する前記表示指示情報と、新たに受信した前記表示内容情報に関する前記表示指示情報とに基づいて、前記表示部に次に表示する前記表示内容情報を選択する表示情報選択手段とを有することを特徴とする。
【００２１】
なお、本発明の構成要素、表現または構成要素の任意の組合せを、方法、装置、システム、コンピュータプログラム、記録媒体、データ構造などに適用したものも本発明の態様として有効である。
【発明の効果】
【００２２】
本発明によれば、自由度が高く、使い勝手がよい表示装置及び表示プログラムを提供可能である。
【発明を実施するための最良の形態】
【００２３】
次に、本発明を実施するための最良の形態を、以下の実施例に基づき図面を参照しつつ説明していく。
【実施例１】
【００２４】
図１は本実施例の表示装置の一例のハードウェア構成図である。図１に示した表示装置１は、補助記憶装置１１と、主記憶装置１２と、演算処理装置１３と、ビデオＩ／Ｆ１４と、ＬＡＮ  Ｉ／Ｆ１５と、赤外線通信Ｉ／Ｆ１６と、表示パネル１７とを有している構成である。
【００２５】
ＣＰＵ等の演算処理装置１３は、ハードディスクやフラッシュメモリ等の補助記憶装置１１上に記録された表示プログラムをＤＲＡＭ等の主記憶装置１２に読み出し、表示プログラムを実行し、その実行結果をビデオＩ／Ｆ１４経由でＬＣＤディスプレイ等の表示パネル１７に表示する。ＬＡＮ  Ｉ／Ｆ１５は、イーサネット（登録商標）等のＬＡＮに接続する為のインタフェースである。また、赤外線通信Ｉ／Ｆ１６は一般的なＩｒＤＡ規格の送受信器である。
【００２６】
なお、本実施例では上記の構成要素が一体となった表示装置１を一例として説明しているが、ディスプレイ装置を接続した一般的な計算機であっても図１の表示装置１と同様な機能を実現できる。
【００２７】
図２は本実施例の表示装置を含むシステムのシステム構成図である。図２に示したシステム２０は、１つ以上の表示装置１と、１つ以上の文書サーバ２と、携帯端末３とを有する構成である。
【００２８】
表示装置１と文書サーバ２とは、ネットワークの一例としてのＬＡＮを介して接続されており、ＬＡＮ上で動作するＨＴＴＰプロトコルを利用することで情報の送受信を行うものである。表示装置１と端末装置３とはＩｒＯＢＥＸプロトコルを利用することで情報の送受信を行うものである。
【００２９】
図３は本実施例の表示装置の一例のブロック構成図である。図３の表示装置１は、受信部３１と、受信部３２と、受信部３３と、表示指示情報判定部３４と、表示部３５と、表示情報選択部３６と、情報記録部３７とを有する構成である。まずは、受信部３１〜３３に共通する動作を説明する。
【００３０】
受信部３１〜３３は、表示部３５に表示すべきコンテンツである表示内容情報を受信するものである。受信部３１〜３３は、後述の表示優先度と表示継続時間とを表す表示指示情報が存在すれば、その表示優先度と表示継続時間とを共に受信する。受信部３１〜３３は受信部３１〜３３の識別子と、受信した表示内容情報及び表示指示情報を表示指示情報判定部３４へ送信する。
【００３１】
表示内容情報は例えば画像データである。表示指示情報は表示内容情報の表示方法に関する指示であり、表示優先度と表示継続時間とを含む。なお、受信部３１〜３３は表示指示情報が存在しなければ、表示指示情報を表示指示情報判定部３４に送信しない。表示指示情報は受信部３１〜３３から表示指示情報判定部３４へ送信されない場合もある。
【００３２】
次に、受信部３１〜３３の共通しない動作について説明する。受信部３１はＬＡＮ上で動作するＨＴＴＰプロトコルを利用し、ｈｔｔｐクライアントとして動作することにより文書サーバ２等の外部のｈｔｔｐサーバから情報を取得する。ＨＴＴＰプロトコルの規格ではＨＴＴＰ応答として受信する情報が、ヘッダ及びボディの二つの部分からなる。
【００３３】
データ本体はボディに含まれる。ヘッダには、そのデータに関する付加情報が含まれている。ヘッダは「名前」と「値」との組の連続であり、名前としてボディの長さ（バイト数）を示す「Content-Length」など、規格化されているものと、ユーザが独自に決めるものとがある。
【００３４】
本実施例では「X-Display-Priority（表示優先度）」と、「X-Display-Time（表示継続時間）」という二つの名前を、表示指示情報を示す為に利用する。ＨＴＴＰ応答として受信した情報に「X-Display-Priority」又は「X-Display-Time」という名前を持つヘッダ行があれば、そのヘッダ行に対応する値は表示指示情報の表示優先度と表示継続時間と見なされる。
【００３５】
図４は表示指示情報を含むＨＴＴＰ応答の一例の構成図である。図４のＨＴＴＰ応答は表示優先度「３」、表示継続時間「３６００秒」の例を示している。具体的に、図４のＨＴＴＰ応答は「X-Display-Priority」又は「X-Display-Time」という名前を持つヘッダ行４１及び４２がある為、そのヘッダ行４１，４２に対応する値「３」，「３６００秒」が表示優先度と表示継続時間と見なされる。
【００３６】
図５は受信部３１の一例のブロック構成図である。図５に示す受信部３１は、設定記憶部５１と、受信制御部５２と、ユーザ入力処理部５３と、ＨＴＴＰ通信部５４と、ネットワークＩ／Ｆ５５とを有する構成である。
【００３７】
設定記憶部５１は表示部３５に表示する表示内容情報の所在を示す設定情報（例えば表示内容情報を取得する文書サーバ２のＵＲＬなど）を記憶している。設定情報は、ユーザ入力処理部５３から取得する。また、設定情報は受信制御部５２で利用される。
【００３８】
受信制御部５２は、設定記憶部５１に記憶されている表示内容情報の所在を示す設定情報（ＵＲＬ）から、表示部３５に表示する表示内容情報を、所定の周期（例えば１０分間隔）で取得する。
【００３９】
受信制御部５２は設定記憶部５１に記憶されている設定情報（ＵＲＬ）を上から順番に試行する。表示内容情報の取得に失敗すると、受信制御部５２は設定記憶部５１に記憶されている次の設定情報（ＵＲＬ）から表示内容情報の取得を試みる。表示内容情報の取得に成功すると、受信制御部５２は取得した表示内容情報を図３の表示指示情報判定部３４に送信する。
【００４０】
ユーザ入力処理部５３は、ユーザからの入力により設定記憶部５１に記憶されている設定情報（ＵＲＬ）の追加、修正を行う。また、ユーザ入力処理部５３は設定記憶部５１に記憶されている設定情報（ＵＲＬ）を読み出し、ユーザに提示する。
【００４１】
ユーザ入力処理部５３には、必要に応じてパスワード等のアクセス制御手段を備えるようにしてもよい。なお、本実施例ではユーザ入力がネットワーク経由で行われる例を示しているが、表示装置１にＵＳＢ等の端子を備え、その端子にキーボードやマウスなどの入力手段を接続して、表示部３５上で確認しながらユーザ入力を行うようにしてもよい。
【００４２】
ＨＴＴＰ通信部５４は、受信制御部５２からの要求に基づき、表示内容情報の所在を示す設定情報（ＵＲＬ）から、ＨＴＴＰプロトコルにより表示内容情報を取得する。本実施例では表示内容情報の取得が成功した時点で表示内容情報の取得を打ち切るため、複数の設定情報（ＵＲＬ）が設定記憶部５１に記憶されている場合には、一番上に記録されている表示内容情報が表示部３５に表示される。その他の実施例としては、表示部３５に表示される表示内容を時間で交代したり、表示部３５の画面を分割して複数の表示内容を同時に表示したりする等の方法をとってもよい。
【００４３】
受信部３２は、例えば携帯電話で赤外線を使った情報転送方法として普及しているＩｒＯＢＥＸプロトコルにより表示内容情報を受信する。受信部３２はＩｒＯＢＥＸサーバとして機能し、外部からの表示内容情報の送信を待ち受ける。受信部３２は、表示内容情報を受信し、表示指示情報を受信しないものとする。表示指示情報は、後述のように表示指示情報判定部３４が持つ規定の表示優先度及び表示継続時間から判定される。
【００４４】
別の方法として、受信部３２はＩｒＯＢＥＸプロトコルのオプション規格やボディ内の独自規格として、表示指示情報の表現方法を定義し、表示指示情報を受信することも可能である。
【００４５】
受信部３３は、受信部３１のように表示装置１側から表示内容情報の所在を示す設定情報（ＵＲＬ）へ表示内容情報を取得する為の通信を開始するのではなく、外部から不特定多数向け（マルチキャスト）に送られてくる表示内容情報を随時受信するプッシュ動作のための通信手段である。
【００４６】
受信部３３は、特定のマルチキャストアドレス（例えば239.1.1.1）で通信を待ち受けることで表示内容情報を受信する。受信部３３の受信する表示内容情報は、受信部３１が受信するＨＴＴＰ応答と同様な形式、つまりテキスト形式のヘッダ及びボディからなる。
【００４７】
表示指示情報判定部３４は、受信部３１〜３３で受信した表示内容情報に関する表示指示情報を次のように判定する。まず、受信部３１〜３３から表示内容情報と共に、表示指示情報を受信すれば、表示指示情報判定部３４は受信した表示指示情報を、そのまま採用する。
【００４８】
受信部３１〜３３から表示内容情報と共に、表示指示情報を受信しなければ、表示指示情報判定部３４は表示内容情報を受信した受信部３１〜３３に応じて、図６に示すテーブルから表示指示情報を判定する。図６は受信部に応じて表示指示情報を判定する為の一例のテーブルである。図６に示したテーブルは、受信部３１〜３３の識別子である受信部ＩＤと、表示優先度と表示継続時間とを対応付けるものである。そして、表示指示情報判定部３４は、表示内容情報を受信した受信部３１〜３３の受信部ＩＤと、受信した表示内容情報と、判定した表示指示情報とを表示情報選択部３６へ送信する。
【００４９】
表示情報選択部３６は、図７に示すフローチャートの手順に従い、表示内容情報を選択して表示内容を表示部３５へ表示する。図７は表示情報選択部３６の表示情報選択処理の手順を表した一例のフローチャートである。図７に示すフローチャートは、表示指示情報に従い、次に表示部３５へ表示する表示内容情報を選択するものである。
【００５０】
ステップＳ１に進み、表示情報選択部３６は表示部３５に現在表示中の表示内容があるか否かを判定する。表示部３５に現在表示中の表示内容が無ければ、表示情報選択部３６はステップＳ２に進み、表示指示情報判定部３４から受信した表示内容情報を次に表示部３５へ表示する表示内容情報として選択し、表示指示情報判定部３４から受信した表示内容情報及び表示指示情報に基づいた表示処理を行う。
【００５１】
新しい表示内容を表示部３５に表示する為の表示処理は、以下のように行う。表示情報選択部３６は次に表示部３５へ表示する表示内容情報を表示部３５へ送信する。表示情報選択部３６は、後の比較及び表示終了処理のため、表示部３５へ送信した表示内容情報に関する表示優先度と、その表示内容情報を受信した受信部３１〜３３の受信部ＩＤとを表示情報選択部３６の内部へ一時記録する。
【００５２】
また、表示情報選択部３６は表示部３５へ送信した表示内容情報に関する表示継続時間の経過後に、表示終了処理が起動するようにタイマを設定する。なお、過去に設定されたタイマが存在する場合は、過去に設定されたタイマをキャンセルする。
【００５３】
ステップＳ２の表示処理の後、表示情報選択部３６はステップＳ４に進み、表示指示情報判定部３４から受信した受信部ＩＤと、表示内容情報と、表示指示情報とを情報記録部３７へ記録する。
【００５４】
なお、ステップＳ１において、表示部３５に現在表示中の表示内容があれば、表示情報選択部３６はステップＳ３に進み、現在表示中の表示内容の表示優先度と、表示指示情報判定部３４から新しく受信した表示内容情報の表示優先度とを比較し、新しく受信した表示内容情報の表示優先度が高いか、又は等しいかを判定する。
【００５５】
新しく受信した表示内容情報の表示優先度が高いか、又は等しければ、表示情報選択部３６はステップＳ２に進み、表示指示情報判定部３４から新しく受信した表示内容情報を次に表示部３５へ表示する表示内容情報として選択し、表示指示情報判定部３４から受信した表示内容情報及び表示指示情報に基づいた表示処理を行う。
【００５６】
なお、新しく受信した表示内容情報の表示優先度が低ければ、表示情報選択部３６はステップＳ４に進み、ステップＳ２の表示処理を行うことなく、表示指示情報判定部３４から新たに受信した受信部ＩＤと、表示内容情報と、表示指示情報とを情報記録部３７へ記録する。
【００５７】
表示情報選択部３６は、ステップＳ２の表示処理中に設定されたタイマにより、表示部３５へ送信した表示内容情報に関する表示継続時間が経過すると、以下のように表示終了処理を行う。
【００５８】
まず、表示情報選択部３６は、表示部３５に現在表示中の表示内容に対応する受信部ＩＤと、表示内容情報と、表示指示情報とを情報記録部３７から消去する。なお、表示情報選択部３６はステップＳ２の表示処理で一時記録した受信部ＩＤを利用し、情報記録部３７から現在表示中の表示内容に対応する受信部ＩＤと、表示内容情報と、表示指示情報とを判定する。そして、表示情報選択部３６は情報記録部３７に記録されている表示内容情報から最も表示優先度の高い表示内容情報を選択し、前述したステップＳ２の表示処理を行う。
【００５９】
情報記録部３７は、表示情報選択部３６から受信部ＩＤと、表示内容情報と、表示指示情報とを受信すると、後で利用する為、図８に示すように記録する。図８は、情報記録部３７に記録されている受信部ＩＤと、表示内容情報と、表示指示情報とを対応付ける一例のテーブルである。なお、同じ受信部３１〜３３で受信した表示内容情報と、その表示内容情報に対応する受信部ＩＤ及び表示指示情報とは、上書きされる。
【００６０】
例えば表示部ＩＤ「１」に対応する表示内容情報及び表示指示情報が情報記録部３７に記録されている状態で、新たに表示部ＩＤ「１」に対応する表示内容情報及び表示指示情報を受信すると、情報記録部３７は、それまで記録されていた表示部ＩＤ「１」に対応する表示内容情報及び表示指示情報を破棄し、新たに受信した表示部ＩＤ「１」に対応する表示内容情報及び表示指示情報を記録する。
【００６１】
表示情報選択部３６から受信した受信部ＩＤと、表示内容情報と、表示指示情報とを情報記録部３７に記録しておくことにより、表示装置１は表示優先度が低く、表示情報選択部３６から受信したときに表示されなかった表示内容情報であっても、表示終了処理により表示優先度の高い表示内容情報が表示継続時間の経過により消去されたあと、表示部３５に表示することができる。
【００６２】
表示部３５は表示情報選択部３６で選択された表示内容情報を受信して表示する。本実施例では表示内容情報をＰＮＧ（Portable Network Graphics）形式の画像データとして説明する。表示部３５はＰＮＧ圧縮アルゴリズムに従って画像データを伸張し、ラスタ画像データを得る。さらに、表示部３５はＯＳの画面表示機能を利用し、ビデオＩ／Ｆ１４経由でラスタ画像データを表示パネル１７に送信し、表示パネル１７上に表示内容を表示する。
【００６３】
（動作例）
次に、想定する利用シーンごとに本実施例の表示装置１の動作例を説明する。表示装置１を掲示板として利用する場合は、設定記憶部５１に例えば以下の二つのＵＲＬを記録しておく。
【００６４】
http://project1.example.com/news
http://www.example.com/news
プロジェクトチーム向けに掲示したい表示内容を持つプロジェクトリーダは一行目のＵＲＬ「http://project1.example.com/news」で所在を示す文書サーバ２上に、掲示したい表示内容の表示内容情報を記録しておく。なお、プロジェクトチーム向けに掲示したい表示内容がなければ、プロジェクトリーダは一行目のＵＲＬに表示内容情報の取得リクエストをした場合、表示内容情報の取得が失敗するように表示内容情報を削除しておく。
【００６５】
全社向けに掲示したい表示内容を持つ社内広報部門は、同様に二行目のＵＲＬ「http://www.example.com/news」で所在を示す文書サーバ２上に、掲示したい表示内容の表示内容情報を記録しておく。このような運用をすれば、本実施例の表示装置１はプロジェクトチーム向けに掲示したい表示内容が存在する場合にプロジェクトチーム向けの表示内容を表示部３５に表示し、プロジェクトチーム向けの表示内容が無く、全社向けの表示内容がある場合に全社向けの表示内容を表示部３５に表示できる。
【００６６】
次に、表示装置１をプレゼンテーションに利用する場合について説明する。例えば設定記憶部５１は、上記した掲示板としての利用と同様に二つのＵＲＬを記録しているものとする。一時的に表示装置１へプレゼンテーション資料を表示したいユーザは、赤外線通信Ｉ／Ｆ付きのノートＰＣ等を使い、表示装置１へ直接、表示内容情報（画像ファイル）を送信する。プレゼンテーション資料を表示中に別のプレゼンテーション資料を表示したくなったら、ユーザは新たに表示したくなった別のプレゼンテーション資料の表示内容情報を赤外線通信で直接、表示装置１へ送信すれば、同じ受信部３２からの受信であり、表示優先度が同じとなるため、別のプレゼンテーション資料の表示内容に表示部３５の表示を切り替えることができる。
【００６７】
最後にプレゼンテーション資料を表示装置１に送信してから表示継続時間（例えば３０分）が経過すると、表示情報選択部３６で表示終了処理が実行されるため、最後に送信したプレゼンテーション資料の表示内容が表示部３５から消え、情報記録部３７に表示優先度「３」の表示内容情報が記録されていれば、その表示内容が表示部３５に表示され、元の掲示板としての利用に戻る。
【００６８】
このように、本実施例の表示装置１はプレゼンテーションに利用したあと、操作をし忘れたことにより、掲示板としての利用に戻らないという問題を防止できる。また、本実施例の表示装置１は、プレゼンテーション資料を表示中に、プロジェクトチーム向けに掲示したい表示内容が更新されても表示優先度が低いので、プレゼンテーション資料の表示が継続し、プレゼンテーション資料の表示が途中で打ち切られることはない。なお、本実施例の表示装置１は、プレゼンテーション資料を表示中に、プロジェクトチーム向けに掲示したい表示内容が更新された場合、表示優先度が他より高ければ、プレゼンテーションの利用が終了したあと、更新されたプロジェクトチーム向けの表示内容を表示する。
【００６９】
次に、表示装置１を非常警報に利用する場合について説明する。まず、火災が発生した場合に例えば火災報知器と連動し又は警備員など特定のユーザの手動操作により、警報通知をマルチキャスト通信で送信する装置を、例えば図２のシステム上に配置する。警報通知をマルチキャスト通信で送信する装置は、特定のメッセージを特定のマルチキャストアドレス向けに発信する計算機上のソフトウェアにより容易に実現できる。
【００７０】
マルチキャスト通信で送信される警報通知を受信する受信部３３は表示優先度が最も高い「１」であるため、掲示板として利用されている表示装置１及びプレゼンテーションに利用されている表示装置１も含め、全ての表示装置１で非常警報が表示される。
【００７１】
次に、表示装置１を社内向け特別広報に利用する場合について説明する。例えば「終業時刻の通知」のように緊急度の低い社内向け特別広報に利用する場合は表示指示情報の表示優先度「３」、表示指示情報の表示継続時間「１分」、表示内容情報「終業時間です」としてマルチキャスト通信で送信する。この場合、「終業時刻の通知」は表示優先度がプレゼンテーションの利用より低いため、プレゼンテーションに利用されている表示装置１に影響がなく、掲示板として利用されている表示装置１に「終業時刻の通知」の表示内容である「終業時間です」という文字列が表示される。
【００７２】
（その他）
本実施例の表示装置１では、表示内容情報としてＰＮＧ形式の画像データを利用しているが、ＪＰＥＧ等、ＰＮＧ形式以外の画像フォーマットの画像データや、ＨＴＭＬなどの画像以外の文書データ、さらにはＵＲＬのような文書データを取得するためのポインタ情報を表示内容情報として利用することもできる。その為に、本実施例の表示装置１は各画像フォーマットの画像データを画像に変換するレンダラモジュールを搭載して、ＰＮＧデコーダの代わりに使えばよい。
【００７３】
本実施例の表示装置１は、表示パネル１７の外側にボタン、表示パネル１７に重ねてタッチパネル（例えば画面上に終了ボタンを表示）、又はマウスなどのユーザからの「終了操作」を入力する手段を備え、ユーザが終了操作をすると、例えば表示継続時間「０秒」の表示指示情報を受信したものとして動作し、現在表示中の表示内容が閉じるようにしてもよい。
【００７４】
または、「３０分」という表示継続時間を超えて利用する為に、本実施例の表示装置１はユーザが手動で表示継続時間を延長する為のボタンなどを備えてもよい。ユーザが延長操作をすると、本実施例の表示装置１は例えば現在表示中の表示内容情報を再び受信したものとして動作するようにしてもよい。
【００７５】
更に、表示継続時間の延長操作を省略する為、本実施例の表示装置１は画面上のタッチパネルや赤外線人感センサなどを持ち、センサ応答が定期的に継続している場合に表示優先度「２」の利用状態（プレゼンテーションの利用）を継続し、一定時間以上、センサ応答が無い場合に表示優先度「２」の利用状態を終了し、表示優先度「３」の利用状態に復帰するようにしてもよい。この場合、本実施例の表示装置１はユーザが付近で利用している場合に表示優先度「２」の利用状態を終了しない。
【００７６】
本実施例の表示装置１では通信手段として赤外線を利用したが、赤外線以外のＢｌｕｅｔｏｏｔｈ，ｚｉｇｂｅｅ，ＮＦＣなどの近距離無線通信や、カメラによるバーコード認識など、表示装置１と直接通信可能な他の通信手段を用いてもよい。なお、通信手段として赤外線を利用する場合、ユーザは近辺にある表示装置１を物理的に識別して直接操作できるというメリットがある。
【００７７】
なお、本実施例の表示装置１はＤＶＤの自動再生機能と異なり、同じ情報入力手段（メディア）であっても、表示指示情報により動作が変わる可能性がある。また、本実施例の表示装置１は緊急警報信号を放送するシステムと異なり、表示優先度の高い表示内容を必ず表示するのではなく、新たに入力された表示内容の表示優先度と、現在表示中の表示内容の表示優先度との比較により、表示内容を変更するか否かが変わるものである。本実施例の表示装置１は、表示優先度の利用により、様々な表示意図を一元的に調整することができる。
【実施例２】
【００７８】
図９は本実施例の表示装置の他の例の外観図である。図９に示す実施例２の表示装置１Ａは、一つの表示パネル１７とＩｒＯＢＥＸプロトコルによる一つのＩＲ受信器（図示せず）とを有する実施例１の表示装置１と異なり、二つの表示パネル１７Ａ，１７Ｂと、ＩｒＯＢＥＸプロトコルによる三つのＩＲ受信器１８Ａ〜１８Ｃを有する構成である。
【００７９】
実施例２の表示装置１Ａは、赤外線通信を受信したとき、どのＩＲ受信器１８Ａ〜１８Ｃで受信したかに応じて、二つの表示パネル１７Ａ，１７Ｂの何れか、又は両方に表示内容を表示する。
【００８０】
また、実施例２の表示装置１Ａは一部を除いて、実施例１の表示装置１と同様な構成である。実施例２の表示装置１Ａは赤外線通信Ｉ／Ｆ１６を一つ、表示パネル１７を一つ有する実施例１の表示装置１と異なり、三つの赤外線通信Ｉ／Ｆ１６と、二つの表示パネル１７Ａ，１７Ｂを有する構成である。
【００８１】
さらに、実施例２の表示装置１Ａは、図３に示す構成の実施例１の表示装置１と同様な構成を持つ。以下では実施例２の表示装置１Ａにおける実施例１の表示装置１と異なる部分について説明する。
【００８２】
表示装置１Ａにおける表示指示情報は、実施例１の表示優先度，表示継続時間に加えて表示位置を持つ。例えば表示装置１Ａにおける表示位置は「−１：任意の位置での表示指示」、「０：全表示パネル１７Ａ及び１７Ｂを連結しての表示指示」、「１：上の表示パネル１７Ａでの表示指示」及び「２：下の表示パネル１７Ｂでの表示指示」の４つのうちの一つを値としてとる。
【００８３】
受信部３１の受信制御部５２は設定記憶部５１に記憶されている設定情報（ＵＲＬ）を上から順番に試行するが、各ＵＲＬでの表示内容情報の取得の成功失敗に拘わらず、全てのＵＲＬの表示内容情報の取得を試行する。結果として、受信制御部５２は、一又は複数の表示内容情報を表示指示情報判定部３４へ送信する。
【００８４】
受信部３２は三つのＩＲ受信器１８Ａ〜１８Ｃに別々の受信部ＩＤ「２１」，「２２」及び「２３」を割り当てる。表示指示情報判定部３４は、表示指示情報のうち、表示優先度及び表示継続時間を実施例１と同様に判定する。また、表示指示情報判定部３４は表示指示情報のうち、表示位置を、受信部ＩＤに応じて次のように決定する。
【００８５】
受信部ＩＤが「１」の場合、表示指示情報判定部３４は表示位置として「−１：任意の位置での表示指示」を選択する。また、受信部ＩＤが「３」の場合、表示指示情報判定部３４は表示位置として「０：全表示パネル１７Ａ及び１７Ｂを連結しての表示指示」を選択する。
【００８６】
受信部ＩＤが「２１」の場合、表示指示情報判定部３４は表示位置として「１：上の表示パネル１７Ａでの表示指示」を選択する。受信部ＩＤが「２２」の場合、表示指示情報判定部３４は、表示位置として「０：全表示パネル１７Ａ及び１７Ｂを連結しての表示指示」を選択する。また、受信部ＩＤが「２３」の場合、表示指示情報判定部３４は表示位置として「２：下の表示パネル１７Ｂでの表示指示」を選択する。表示位置はヘッダから取得せず、受信部ＩＤで決定するものとする。
【００８７】
表示情報選択部３６は、図１０に示すフローチャートの手順に従い、表示内容情報を選択して表示内容を表示部３５へ表示する。図１０は表示情報選択部３６の表示情報選択処理の手順を表した一例のフローチャートである。図１０に示すフローチャートは、表示指示情報に従い、次に表示部３５へ表示する表示内容情報を選択するものである。
【００８８】
ステップＳ１１に進み、表示情報選択部３６は新しく受信した表示指示情報の表示位置の値に応じて、表示候補となる表示パネル１７Ａ，１７Ｂを以下のように決定する。例えば表示位置の値が「−１」の場合、表示情報選択部３６は表示候補となる表示パネル（対象パネル）として表示パネル１７Ａ及び１７Ｂを選択する。
【００８９】
表示位置の値が「０」の場合、表示情報選択部３６は表示候補となる表示パネルとして表示パネル１７Ａ及び１７Ｂを選択する。表示位置の値が「１」の場合、表示情報選択部３６は表示候補となる表示パネルとして表示パネル１７Ａを選択する。また、表示位置の値が「２」の場合、表示情報選択部３６は表示候補となる表示パネルとして表示パネル１７Ｂを選択する。
【００９０】
ステップＳ１２に進み、表示情報選択部３６は、ステップＳ１１で選択した表示候補の表示パネル１７Ａ，１７Ｂに現在表示中の表示内容があるか否かを判定する。表示候補の表示パネル１７Ａ，１７Ｂに現在表示中の表示内容が無ければ、表示情報選択部３６はステップＳ１３に進み、表示指示情報判定部３４から受信した表示内容情報を次に表示候補の表示パネル１７Ａ，１７Ｂへ表示する表示内容情報として選択し、表示指示情報判定部３４から受信した表示内容情報及び表示指示情報に基づいた表示処理を行う。
【００９１】
新しい表示内容を表示候補の表示パネル１７Ａ，１７Ｂに表示する為の表示処理は以下のように行う。表示情報選択部３６は表示指示情報判定部３４から受信した表示指示情報の表示位置の値が「−１」の場合、表示内容を表示可能な表示パネル１７Ａ，１７Ｂの数に拘わらず、表示パネル１７Ａ，１７Ｂのいずれか一つに表示する。
【００９２】
また、表示情報選択部３６は表示指示情報判定部３４から受信した表示指示情報の表示位置の値が「０」の場合、表示内容を表示可能な表示パネル１７Ａ，１７Ｂの全体に表示する。つまり、表示情報選択部３６は二つの表示パネル１７Ａ，１７Ｂが共に表示可能な場合に二つの表示パネル１７Ａ，１７Ｂに跨って、また表示パネル１７Ａ，１７Ｂのいずれか一つに表示可能な場合に、表示可能な表示パネル１７Ａ，１７Ｂのいずれか一つに表示する。また、表示情報選択部３６は表示指示情報判定部３４から受信した表示指示情報の表示位置の値が「１」又は「２」の場合、表示候補の表示パネル１７Ａ，１７Ｂに表示する。
【００９３】
表示情報選択部３６は次に表示内容を表示する表示パネル１７Ａ，１７Ｂの両方又は一方へ表示内容情報を送信する。また、表示情報選択部３６は、後の比較及び表示終了処理のため、表示パネル１７Ａ，１７Ｂへ送信した表示内容情報に関する表示優先度と、その表示内容情報を受信した受信部３１〜３３の受信部ＩＤとを表示情報選択部３６の内部へ一時記録する。また、表示情報選択部３６は、表示パネル１７Ａ，１７Ｂへ送信した表示内容情報に関する表示継続時間の経過後に、表示終了処理が起動するようにタイマを設定する。なお、過去に設定されたタイマが存在する場合は過去に設定されたタイマをキャンセルする。
【００９４】
ステップＳ１３の表示処理の後、表示情報選択部３６はステップＳ１５に進み、表示指示情報判定部３４から受信した受信部ＩＤと、表示内容情報と、表示指示情報とを情報記録部３７へ記録する。
【００９５】
なお、ステップＳ１２において、表示候補の表示パネル１７Ａ，１７Ｂに現在表示中の表示内容があれば、表示情報選択部３６はステップＳ１４に進み、表示候補の表示パネル１７Ａ，１７Ｂに現在表示中の表示内容の表示優先度と、表示指示情報判定部３４から新しく受信した表示内容情報の表示優先度とを比較し、新しく受信した表示内容情報の表示優先度の方が高い表示パネル１７Ａ，１７Ｂがあるか否かを判定する。
【００９６】
新しく受信した表示内容情報の表示優先度の方が高い表示パネル１７Ａ，１７Ｂがあれば、表示情報選択部３６は新しく受信した表示内容情報の表示優先度の方が高い表示パネル１７Ａ，１７Ｂを表示可能な表示パネル１７Ａ，１７Ｂと判定して、ステップＳ１３に進む。
【００９７】
表示情報選択部３６は、表示指示情報判定部３４から新しく受信した表示内容情報を次に表示部３５へ表示する表示内容情報として選択し、表示指示情報判定部３４から受信した表示内容情報及び表示指示情報に基づいた表示処理を行う。
【００９８】
新しい表示内容を表示候補の表示パネル１７Ａ，１７Ｂに表示する為の表示処理は以下のように行う。表示情報選択部３６は表示指示情報判定部３４から受信した表示指示情報の表示位置の値が「−１」の場合、表示内容を表示可能な表示パネル１７Ａ，１７Ｂの数に拘わらず、表示パネル１７Ａ，１７Ｂのいずれか一つに表示する。なお、表示内容を表示可能な表示パネル１７Ａ，１７Ｂとは、現在表示中の表示内容情報の表示優先度が、新しく受信した表示内容情報の表示優先度よりも低いものである。
【００９９】
また、表示情報選択部３６は表示指示情報判定部３４から受信した表示指示情報の表示位置の値が「０」の場合、表示内容を表示可能な表示パネル１７Ａ，１７Ｂの全体に表示する。つまり、表示情報選択部３６は二つの表示パネル１７Ａ，１７Ｂが共に表示可能な場合に二つの表示パネル１７Ａ，１７Ｂに跨って、また表示パネル１７Ａ，１７Ｂのいずれか一つに表示可能な場合に、表示可能な表示パネル１７Ａ，１７Ｂのいずれか一つに表示する。また、表示情報選択部３６は表示指示情報判定部３４から受信した表示指示情報の表示位置の値が「１」又は「２」の場合、表示候補の表示パネル１７Ａ，１７Ｂに表示する。
【０１００】
表示情報選択部３６は次に表示内容を表示する表示パネル１７Ａ，１７Ｂの両方又は一方へ表示内容情報を送信する。また、表示情報選択部３６は、後の比較及び表示終了処理のため、表示パネル１７Ａ，１７Ｂへ送信した表示内容情報に関する表示優先度と、その表示内容情報を受信した受信部３１〜３３の受信部ＩＤとを表示情報選択部３６の内部へ一時記録する。また、表示情報選択部３６は、表示パネル１７Ａ，１７Ｂへ送信した表示内容情報に関する表示継続時間の経過後に、表示終了処理が起動するようにタイマを設定する。なお、過去に設定されたタイマが存在する場合は過去に設定されたタイマをキャンセルする。
【０１０１】
なお、新しく受信した表示内容情報の表示優先度の方が高い表示パネル１７Ａ，１７Ｂが無ければ、表示情報選択部３６はステップＳ１５に進み、ステップＳ１３の表示処理を行うことなく、表示指示情報判定部３４から新たに受信した受信部ＩＤと、表示内容情報と、表示指示情報とを情報記録部３７へ記録する。
【０１０２】
実施例２の表示装置１Ａでは以下のような動作を実現できる。例えば表示パネル１７Ａ及び１７Ｂの両方に表示優先度「３」又は「２」の表示内容が表示されている場合は上のＩＲ受信器１８Ａへ表示内容情報を送信すれば表示パネル１７Ａに表示され、下のＩＲ受信器１８Ｃへ表示内容情報を送信すれば表示パネル１７Ｂに表示され、中央のＩＲ受信器１８Ｂへ表示内容情報を送信すれば表示パネル１７Ａ，１７Ｂの全体に表示される。
【０１０３】
このように、実施例２の表示装置１Ａは表示内容情報を受信したＩＲ受信機１８Ａ〜１８Ｃに応じた表示パネル１７Ａ，１７Ｂに新たな表示内容を表示できる。また、実施例２の表示装置１Ａは表示内容情報を受信したＩＲ受信機１８Ａ〜１８Ｃに応じた表示パネル１７Ａ，１７Ｂ以外の表示内容が維持される。このような操作は、物理的な掲示板にポスター等を貼り付ける動作と類似しているため、ユーザに操作結果を直感的に理解、記憶させやすい。
【０１０４】
また、例えば表示パネル１７Ａ及び１７Ｂの両方に表示優先度「３」又は「２」の表示内容が表示されている場合でも、マルチキャスト通信で警報通知を受信すれば、既定の表示位置の値が「０」なので表示パネル１７Ａ及び１７Ｂの全体に大きく表示され、見逃してしまう恐れが低い。
【０１０５】
更に、例えば表示パネル１７Ａ及び１７Ｂの片方に表示優先度「２」の表示内容が表示されている場合は、表示優先度「２」の表示内容情報が新たに追加、更新されると、現在表示されていない表示パネル１７Ａ及び１７Ｂの何れか一方で表示内容が表示される。このように実施例２の表示装置１Ａは、表示パネル１７Ａ及び１７Ｂの片方に表示されている表示優先度「２」の表示内容を邪魔することなく、空いている表示パネル１７Ａ及び１７Ｂの片方に最新の表示内容を表示できる。
【０１０６】
本発明は、具体的に開示された実施例に限定されるものではなく、特許請求の範囲から逸脱することなく、種々の変形や変更が可能である。
【図面の簡単な説明】
【０１０７】
【図１】本実施例の表示装置の一例のハードウェア構成図である。
【図２】本実施例の表示装置を含むシステムのシステム構成図である。
【図３】本実施例の表示装置の一例のブロック構成図である。
【図４】表示指示情報を含むＨＴＴＰ応答の一例の構成図である。
【図５】受信部３１の一例のブロック構成図である。
【図６】受信部に応じて表示指示情報を判定する為の一例のテーブルである。
【図７】表示情報選択部３６の表示情報選択処理の手順を表した一例のフローチャートである。
【図８】情報記録部３７に記録されている受信部ＩＤと、表示内容情報と、表示指示情報とを対応付ける一例のテーブルである。
【図９】本実施例の表示装置の他の例の外観図である。
【図１０】表示情報選択部３６の表示情報選択処理の手順を表した一例のフローチャートである。
【符号の説明】
【０１０８】
１    表示装置
２    文書サーバ
３    携帯端末
１１    補助記憶装置
１２    主記憶装置
１３    演算処理装置
１４    ビデオＩ／Ｆ
１５    ＬＡＮ  Ｉ／Ｆ
１６    赤外線通信Ｉ／Ｆ
１７，１７Ａ，１７Ｂ    表示パネル
１８Ａ〜１８Ｃ    ＩＲ受信器
３１〜３３    受信部
３４    表示指示情報判定部
３５    表示部
３６    表示情報選択部
３７    情報記録部
４１，４２    ヘッダ行
５１    設定記憶部
５２    受信制御部
５３    ユーザ入力処理部
５４    ＨＴＴＰ通信部
５５    ネットワークＩ／Ｆ
【図１】
2010015300.tif 000003
【図２】
2010015300.tif 000004
【図３】
2010015300.tif 000005
【図４】
2010015300.tif 000006
【図５】
2010015300.tif 000007
【図６】
2010015300.tif 000008
【図７】
2010015300.tif 000009
【図８】
2010015300.tif 000010
【図９】
2010015300.tif 000011
【図１０】
2010015300.tif 000012